(57)【要約】【課題】  本実施形態の二次電池装置は、温度差が生じている電池間の電圧差を小さくし、電池パックとしての容量低下を抑制することを目的とする。【解決手段】  本二次電池装置は、第１の電池セル列と、第２の電池セル列と、第３の電池セル列と、を前記前記第２の電池セル列と前記第３の電池セル列が第１の電池セル列を挟んで並列に設置する二次電池装置であって、前記第１の電池セル列を構成する各電池セルを直列に接続する第１のバスバーと、前記第２の電池セル列を構成する各電池セルを直列に接続する第２のバスバーと、前記第３の電池セル列を構成する各電池セルを直列に接続し、前記第１のバスバーよりも抵抗値が高い第３のバスバーと、を備える。【選択図】図１
2013037861.tif 000002
【特許請求の範囲】
【請求項１】
直列に接続された２つの電池セルを有する第１の電池セル列と、
直列に接続された２つの電池セルを有する第２の電池セル列と、
直列に接続された２つの電池セルを有する第３の電池セル列と、
を備え、
前記第１の電池セル列と、前記第２の電池セル列と、前記第３の電池セル列と、を前記前記第２の電池セル列と前記第３の電池セル列が第１の電池セル列を挟んで並列に設置する二次電池装置であって、
前記第１の電池セル列を構成する各電池セルを直列に接続する第１のバスバーと、
前記第２の電池セル列を構成する各電池セルを直列に接続する第２のバスバーと、
前記第３の電池セル列を構成する各電池セルを直列に接続し、前記第１のバスバーよりも抵抗値が高い第３のバスバーと、
を備える二次電池装置。
【請求項２】
前記第２のバスバーは、
前記第１のバスバーよりも抵抗値が高い
請求項1に記載する二次電池装置。
【請求項３】
前記第１の電池セル列は、
複数の電池セルが直列に接続されることにより構成され、
前記第２の電池セル列は、
複数の電池セルが列に接続されることにより構成され、
前記第３の電池セル列は、
複数の電池セルを直列に接続されることにより構成され、
前記第１の電池セル列を構成する各電池セルを直列に接続する第１のバスバー群と、
前記第２の電池セル列を構成する各電池セルを直列に接続し、前記第１のバスバー群の抵抗値の合計値よりも抵抗値の合計値が高い抵抗値で構成される第２のバスバー群と、
を備える請求項１に記載する二次電池装置。
【請求項４】
前記第３の電池セル列を構成する各電池セルを直列に接続し、前記第１のバスバー群の抵抗値の合計値よりも抵抗値の合計値が高い抵抗値で構成される第３のバスバー群と、
をさらに備える請求項３に記載する二次電池装置。
【請求項５】
前記第３のバスバーは、
前記第１のバスバーよりも接続する距離が長い
請求項1に記載する二次電池装置。
【請求項６】
直列に接続された２つの電池セルを有する第４の電池セル列と、
直列に接続された２つの電池セルを有する第５の電池セル列と、
を備え、
前記第１の電池セル列と、前記第２の電池セル列と、を構成する各電池セルを平行に設置し、
前記第４の電池セル列を構成する各電池セルを直列に接続する第４のバスバーと、
前記第５の電池セル列を構成する各電池セルを前記第４のバスバーよりも長い距離で直列に接続する第５のバスバーと、
を備える二次電池装置。
【請求項７】
正極端子と負極端子を備える第１の電池セルと、
正極端子と負極端子を備える第２の電池セルと、
前記第１の電池セルの正極端子と、前記第２の電池セルの正極端子とを各電池セルに対して異なる抵抗値で接続する第６のバスバーと、
前記第１の電池セルの負極端子と、前記第２の電池セルの負極端子とを前記第６のバスバーに対応して各電池セルに対して異なる抵抗値で接続する第７のバスバーと、
を備える二次電池装置。
【請求項８】
直列に接続された２つの電池セルを有する第１の電池セル列と、
直列に接続された２つの電池セルを有する第２の電池セル列と、
直列に接続された２つの電池セルを有する第３の電池セル列と、
を備え、
前記第１の電池セル列と、前記第２の電池セル列と、前記第３の電池セル列と、を前記第１の電池セル列が前記第２の電池セル列と前記第３の電池セル列に挟まれて並列に設置する二次電池装置の製造方法であって、
前記第１の電池セル列を構成する各電池セルを直列に第１のバスバーを用いて接続し、
前記第２の電池セル列を構成する各電池セルを直列に第２のバスバーを用いて接続し、
前記第３の電池セル列を構成する各電池セルを前記第１のバスバーよりも抵抗値が高い第３のバスバーを用いて直列に接続する
二次電池装置の製造方法。
【発明の詳細な説明】
【技術分野】
【０００１】
本発明の実施形態は、二次電池装置およびその製造方法に関する。
【背景技術】
【０００２】
二次電池は多種多様な用途の電源として使用されている。主な用途として、携帯電話やパソコン、携帯音楽プレーヤーといった小型電気機器の電源として使用がなされていたが、電気自動車や電力貯蔵用電源といった比較的大きな電力を必要とする機器で使用する大型の電池装置の開発がすすめられている。
【０００３】
電池の大型化に対応するため、複数の電池を多直多並列に接続した二次電池装置（電池パック）を製造し、大型電源用途として使用する方法がある。
【先行技術文献】
【特許文献】
【０００４】
【特許文献１】特開平１０―１８８９４２
【発明の概要】
【発明が解決しようとする課題】
【０００５】
繰り返し充放電を行う二次電池装置（電池パック）を構成する各電池セルは一般的に充放電時に発熱する。このため、使用する環境より電池セルの温度は高くなり、複数の電池セルを直並列に接続した二次電池装置では、外気に近い外周側の電池セルと、他の電池セルと周囲を囲まれるような中央付近の電池では、使用時に温度差が生じる。
【０００６】
また、機器内の二次電池装置のレイアウトによっては、熱源が近くにあるセルとその他のセルなど外部からの影響で二次電池装置内の各セルに温度差が発生することも考えられる。
【０００７】
このように、二次電池装置内で温度差が生じた場合、温度の低い電池セルは温度の高い電池セルに比べ容量が十分に出ないことになる。そして、二次電池装置を構成する各電池セルの電圧で充放電を制御した場合、容量の小さい電池で充放電が制御されることになるため、二次電池装置全体の容量は小さくなってしまう。
【０００８】
本実施形態の二次電池装置は、温度差が生じている電池間の電圧差を小さくし、電池パックとしての容量低下を抑制することを目的とする。
【課題を解決するための手段】
【０００９】
本実施形態の二次電池装置は、第１の電池セル列と、第２の電池セル列と、第３の電池セル列と、を前記前記第２の電池セル列と前記第３の電池セル列が第１の電池セル列を挟んで並列に設置する二次電池装置であって、前記第１の電池セル列を構成する各電池セルを直列に接続する第１のバスバーと、前記第２の電池セル列を構成する各電池セルを直列に接続する第２のバスバーと、前記第３の電池セル列を構成する各電池セルを直列に接続し、前記第１のバスバーよりも抵抗値が高い第３のバスバーと、を備える。
【図面の簡単な説明】
【００１０】
【図１】第１の実施形態に係る二次電池装置１０の外観の一例を示す斜視図。
【図２】第１の実施形態に係る電池セル１２の外観の一例を示す斜視図。
【図３】第１の実施形態に係る電池セル１２の温度に対する出力電圧の放電時間特性の一例を示す図。
【図４】第１の実施形態に係る電池セル１２の出力電流に対する出力電圧の放電時間特性の一例を示す図。
【図５】第１の実施形態に係る二次電池装置１０を上面から見た図。
【図６】第１の実施形態に係る二次電池装置１０の回路図。
【図７】第２の実施形態に係る二次電池装置１０の外観の一例を示す斜視図。
【図８】第２の実施形態に係る二次電池装置１０を上面から見た図。
【図９】第２の実施形態に係る二次電池装置１０の回路図。
【図１０】第３の実施形態に係る二次電池装置１０を上面から見た図。
【図１１】第３の実施形態に係る二次電池装置１０の回路図。
【図１２】第３の実施形態にかかる二次電池装置１０の変形例を示す上面図。
【発明を実施するための形態】
【００１１】
以下、本発明の実施態様について図面を参照しながら説明する。
【００１２】
（第１の実施形態）
図１は、本実施形態に係る二次電池装置１０の外観を示す斜視図である。
【００１３】
二次電池装置１０は図１に示すように、例えば、複数の二次電池セル１２ａ，…，１２ｉを有する構成である。これら合計９つの電池セル１２は、３つずつの電池セルを直列に配置し、バスバー１４で電気的に接続し、３つの電池セル列を形成する。この３つの電池セル列を並行に並べ、バスバー１４を用いて電気的に接続して二次電池装置１０を構成する。
【００１４】
図２は、二次電池セル１２の外観を示す斜視図である。
【００１５】
各電池セル１２（１２ａ，…１２ｓ）は、リチウムイオン電池等の非水電解質二次電池であり、例えば、アルミニウムまたはアルミニウム合金で形成された扁平な略直方体形状の外装容器２１と、外装容器内に非水電解液と共に収納された電極体と、正極端子２２ａと、負極端子２２ｂとを備えている。
【００１６】
外装容器２１は、上端が開口した容器本体と、容器本体に溶接され容器本体の開口を閉塞した矩形板状の蓋体とを有し、液密に形成されている。電極体は、例えば、正極板および負極板をその間にセパレータを介在させて渦巻き状に捲回し、更に、径方向に圧縮することにより、偏平な矩形状に形成されている。
【００１７】
正極（正極端子）２２ａおよび負極（負極端子）２２ｂは、蓋体２３の長手方向両端部にそれぞれ設けられ、蓋体２３から突出している。正極端子２２ａおよび負極端子２２ｂは、電極体の正極および負極にそれぞれ接続されている。一方の端子、例えば、正極端子２２ａは、蓋体２３に電気的に接続され、外装容器２１と同電位となっている。負極端子２２ｂは、蓋体２３を貫通して延びている。負極端子２２ｂと蓋体２３との間には、合成樹脂、ガラス等の絶縁体からなるシール材、例えば、ガスケットが設けられている。
【００１８】
容器本体の周囲には、容器の上端部および下端部を除いて、絶縁性のフィルムが巻装されている。このフィルムは、外装容器の膨張を規制するとともに、外装容器と他の電池セル１２との短絡、あるいは、外装容器と他の部材との短絡を防止する。
【００１９】
バスバー１４（１４ａ，…，１４ｔ）は、図１に示すように、複数の電池セル１２を、電気的に、直列または並列に接続する導電性部材である。複数の電池セル１２は、隣合う電池セル１２の正極端子と負極端子とが同一に並ぶ向きに配列されている。各バスバー１４は、導電材料、例えば、アルミニウム等からなる金属板で形成されている。バスバー１４は、一端部が電池セル１２の正極端子２２ａに接合され、他端部が隣の電池セル１２の負極端子２２ｂに溶接され、これらの電極端子を電気的に接続している。このように、９個の電池セル１２は、複数のバスバー１４により直列に接続されている。同様に、複数の電池セル１２は、並列に接続する場合にも使用される。
【００２０】
図３は、電池セル１２の温度に対する出力電圧の放電時間特性の一例を示す図である。電池セル１２が温度が低い状況にあるほどに出力電圧が短時間で低下することを示している。例えば、温度が１０℃の電池セル１２と、３５℃の電池セル１２を並行に並べて電気的に接続した場合には、一方の１０℃の電池セル１２の放電特性が低いため他方の３５℃の電池セル１２に比べ短時間しか予め定められた一定値以上の出力電圧を維持できない。
【００２１】
よって、この並列接続された２つの電池の一定以上の電圧での出力時間は、上記２つの電池が３５℃で並列接続されている場合に比べ短時間となる。
【００２２】
図４は、係る電池セル１２の出力電流に対する出力電圧の放電時間特性の一例を示す図である。放電する電流が多いほど出力電圧が短時間で低下することを示している。
【００２３】
ここで、１Ｃとは、バッテリーの電流容量に等しい電流値をいう。２０［Ａｈｒ］のバッテリーをでは、１Ｃは、２０Ａ，２Ｃとは、４０Ａをいう。
【００２４】
例えば、５Ｃを放出する電池セル１２と、１Ｃを放出する電池セル１２を並行に並べて電気的に接続した場合には、一方の５Ｃを放出する電池セル１２の放電特性が低く、他方の１Ｃの電池セル１２に比べ短時間しか予め定められた一定値以上の出力電圧を維持できない。
【００２５】
よって、１Ｃで出力する電池セルは、５Ｃで出力する電池セルに比べ長時間の放電が可能である。
【００２６】
図５は、第１の実施形態に係る二次電池装置１０を上面から見た図である。
【００２７】
図６は、図５を回路図として記載している。
【００２８】
本実施形態の二次電池装置１０は、図５、図６に示すように電池セル１２ａの負極端子と電池セル１２ｂの正極端子を直列にバスバー１４ｂを用いて接続し、電池セル１２ｂの負極端子と電池セル１２ｃの正極端子を、バスバー１４ｃを用いて接続し、一列の電池セル列を構成している（以下、Ａ列と呼ぶ）。
【００２９】
同様に、電池セル１２ｄの負極端子と電池セル１２ｅの正極端子を直列にバスバー１４ｅを用いて接続し、電池セル１２ｅの負極端子と電池セル１２ｆの正極端子を、バスバー１４ｆを用いて接続し、一列の電池セル列を構成している（以下、Ｂ列と呼ぶ）。
【００３０】
同様に、電池セル１２ｇの負極端子と電池セル１２ｈの正極端子を直列にバスバー１４ｇを用いて接続し、電池セル１２ｈの負極端子と電池セル１２ｉの正極端子を、バスバー１４ｈを用いて接続し、一列の電池セル列を構成している（以下、Ｃ列と呼ぶ）。
【００３１】
これら、各列を構成するバスバーを総称してバスバー群と呼ぶことができる。この場合、各列に流れる電流に対応するバスバー１４ａ、１４ｄの一部を含んでバスバー群としてもよい。
【００３２】
これら３つのＡ、Ｂ、Ｃの電池セル列を、電池セル１２ａの正極端子と電池セル１２ｄの正極端子と電池セル１２ｇの正極端子とをバスバー１４ａで接続し、電池セル１２ｃの負極端子と電池セル１２ｆの負極端子と電池セル１２ｉの負極端子とをバスバー１４ｄで接続している。
【００３３】
この３直列３並列に並べられた電池セルにおいて、電流（電気エネルギー）の出力を行った際、電池セル１２自体が発熱し、放熱しにくい位置にある電池セル１２ｄ、１２ｅ、１２ｆは、周囲の電池セル１２ａ、１２ｂ、１２ｃ、１２ｇ、１２ｈ、１２ｉに比べ温度の高い状態となる。
【００３４】
ここで、本実施形態のバスバー１４ｂ、１４ｃ、１４ｇ、１４ｈは、バスバー１４ｅ、１４ｆに比べ、抵抗値が高い。高い抵抗値を実現するために、入力電流に対して抵抗が高くなるような形状、例えば、図５に示すように一部の面積を狭くする方法がある。
【００３５】
このように構成された二次電池装置１０では、Ａ列の総抵抗値およびＣ列の総抵抗値は、Ｂ列の総抵抗値よりも高い状態にある。
【００３６】
つまり、オームの法則より、Ａ列、Ｂ列、Ｃ列から出力される出力電圧が一定値である場合、Ａ列およびＣ列から流れるまたは送出される電流量は、Ｂ列から流れるまたは送出される電流量よりも少ない。
【００３７】
これを上記図３、図４にあてはめて鑑みると、温度が低い状態にあるＡ列、Ｃ列は、Ａ、Ｃ列を接続するバスバーの抵抗値がＢ列を接続するバスバーの抵抗値と同じ場合に比べ長い時間にわたって一定電圧以上で電流を送出することができることとなる。
【００３８】
したがって、温度差がある電池セルをもつ二次電池装置１０全体の電流送出時間の長期間化を実現することができる。
【００３９】
なお、本実施形態では、１４ｂ、１４ｃ、１４ｇ、１４ｈは同じ抵抗値をもつかの如く図など記載しているが、各実施形態や温度変化に合わせて、抵抗値を変えることができる。すなわち、各バスバー、バスバー群の抵抗値は、二次電池装置を構成する電池セルの温度状態に対応させ温度が低い状態にある電池セルの出力電流を少なくし、温度状態が高い電池セルに対しては高い電流値を出力するように設計された値を用いることができる。
【００４０】
また、本実施形態では、３列の電池セル列を用いて説明したが、例えばＣ列に代えて、車に設置されるエンジンやモーターなどの熱源であってもよい。この場合、熱源に近い位置にあるＢ列は熱を放出しにくく、また外部から熱を吸収することもありえ、Ａ列に比べて温度が高くなってしまうため本願実施形態の二次電池装置が適用できる。
【００４１】
（第２の実施形態）
図７は、第２の実施形態に係る二次電池装置１０の外観を示す斜視図である。
【００４２】
本実施形態の二次電池装置１０は図７に示すように、複数の二次電池セル１２ｊ，…，１２ｑを有する構成である。これら合計８つの電池セル１２は、４つの電池セルを直列に配置し、バスバー１４で電気的に接続し、２つの電池セル列を形成する。この２つの電池セル列を電気的に並行構造となるように並べ、バスバー１４を用いて電気的に接続して二次電池装置１０を構成する。第１の実施形態と同じ符号を用いて説明したものについては簡単のため説明は省略している。
【００４３】
図８は、第２の実施形態に係る二次電池装置１０を上面から見た図である。
【００４４】
図９は、図８を回路図として記載したものである。
【００４５】
本実施形態の二次電池装置１０は、図８、図９に示すように電池セル１２ｋの負極端子と電池セル１２ｊの正極端子を直列にバスバー１４ｊを用いて接続し、電池セル１２ｊの負極端子と電池セル１２ｐの正極端子を、バスバー１４ｉを用いて接続し、電池セル１２ｐの負極端子と電池セル１２ｑの正極端子を、バスバー１４ｐを用いて接続し、一列の電池セル列を構成している（以下、Ｄ列と呼ぶ）。
【００４６】
同様に、電池セル１２ｍの負極端子と電池セル１２ｌの正極端子を直列にバスバー１４ｍを用いて接続し、電池セル１２ｌの負極端子と電池セル１２ｎの正極端子を、バスバー１４ｌを用いて接続し、電池セル１２ｎの負極端子と電池セル１２ｏの正極端子を、バスバー１４ｎを用いて接続し、一列の電池セル列を構成している（以下、Ｅ列と呼ぶ）。
【００４７】
これら、各列を直列接続するバスバーを総称してバスバー群と呼ぶことができる。また、各列の電流が流れるバスバー１４ｋ、１４ｏの一部を含んでバスバー群としてもよい。
【００４８】
これらＤ、Ｅの各電池セル列を、電池セル１２ｋの正極端子と電池セル１２ｍの正極端子とをバスバー１４ｋで接続し、電池セル１２ｏの負極端子と電池セル１２ｑの負極端子とをバスバー１４ｏで接続している。
【００４９】
ここで、図７に示すようにＤ列はＥ列に取り囲まれるように設置されている。
【００５０】
よって、４直列２並列に並べられた電池セルにおいて、電流（電気エネルギー）の出力を行った際、電池セル１２自体が発熱し、放熱しにくい位置にある電池セル１２ｌ、１２ｍ、１２ｎ、１２ｏは、周囲の電池セル１２ｊ、１２ｋ、１２ｐ、１２ｑに比べ温度の高い状態となる。
【００５１】
ここで、本実施形態のバスバー１４ｉは、バスバー１４ｌに比べ、接続距離が長く、抵抗値が高い。
【００５２】
このように構成された二次電池装置１０では、Ｄ列の総抵抗値は、Ｅ列の総抵抗値よりも高い状態にある。
【００５３】
つまり、オームの法則より、Ｄ列、Ｅ列から出力される出力電圧が一定値である場合、Ｄ列から流れるまたは送出される電流量は、Ｅ列から流れるまたは送出される電流量よりも少ない。
【００５４】
これを第１の実施形態で述べた図３、図４にあてはめて鑑みると、温度が低い状態にあるＤ列は、Ｄ列を接続するバスバーの抵抗値がＥ列を接続するバスバーの抵抗値と同じ場合に比べ長い時間にわたって一定電圧以上の電流を送出することができることとなる。
【００５５】
したがって、温度差がある二次電池をもつ二次電池装置１０全体の電流送出時間の長期間化を実現することができる。
【００５６】
なお、本実施形態では、１４ｊ，１４ｌ，１４ｍ，１４ｎ，１４ｐは同じ抵抗値をもつかの如く図など記載しているが、各実施形態や温度変化に合わせて、抵抗値を変えることができる。すなわち、各バスバー、バスバー群の抵抗値は、二次電池装置を構成する電池セルの温度状態に対応させ温度が低い状態にある電池セルの出力電流を少なくし、温度状態が高い電池セルに対しては高い電流値を出力するように設計された値を用いることができる。
【００５７】
（第３の実施形態）
本実施形態の二次電池装置１０は、図１０、図１１に示すように複数の二次電池セル１２ｒ、１２ｓを有する構成である。これら合計２つの電池セル１２は、電気的に並行構造となるように並べられ、バスバー１４を用いて電気的に接続して二次電池装置１０を構成する。第１または第２の実施形態と同じ符号を用いて説明したものについては簡単のため説明は省略している。
【００５８】
図１０は、第３の実施形態に係る二次電池装置１０を上面から見た図である。
【００５９】
図１１は、図１０の回路図である。
【００６０】
本実施形態の二次電池装置１０は、電池セル１２ｒの正極端子と電池セル１２ｓの正極端子を並列にバスバー１４ｑを用いて接続し、電池セル１２ｒの負極端子と電池セル１２ｓの負極端子を、バスバー１４ｒを用いて接続し、構成している。
【００６１】
ここで、セル１２ｒがセル１２ｓに対して温度が高い状態にあると仮定している。例えば、セル１２ｒ側に熱源がある場合である。熱源としては、自動車のエンジンであってもよいし、テレビやパソコン内部の発熱部であっても良い。また、定置型として利用される場合には、太陽光により生じる太陽熱を生じる媒体を熱源とすることもできる。一例としては、１２ｒ、１２ｓより太陽に近い位置に設置されている場合などである。
【００６２】
この場合、図１０に示すように本実施形態のバスバー１４ｑ、１４ｒは、セル１２ｒ、との接続距離に比べ、１２ｓとの接続距離が長く、抵抗値が高くなるように構成している。
【００６３】
このように構成された二次電池装置１０では、セル１２ｓを流れる電流に対する抵抗値は、１２ｒを流れる電流に対する抵抗値よりも高い状態となる。
【００６４】
つまり、オームの法則より、各電池セル１２ｒ、１２ｓから出力される出力電圧が一定値である場合、セル１２ｓから流れるまたは送出される電流量は、セル１２ｒから流れるまたは送出される電流量よりも少ない。
【００６５】
これを第１の実施形態で述べた図３、図４にあてはめて鑑みると、温度が低い状態にあるセル１２ｓは、セル１２ｒに対するバスバーの抵抗値が同じに構成されている場合に比べ長い時間にわたって一定電圧以上で電流を送出することができることとなる。
【００６６】
したがって、温度差がある二次電池をもつ二次電池装置１０全体の電流送出時間の長期間化を実現することができる。
【００６７】
（変形例）
第３の変形例として、図１２に示すように、温度が低い電池に対してバスバー１４ｓ、１４ｔの抵抗値が高くなるように構成してもよい。
【００６８】
なお、各実施形態で説明したバスバー１４は、電池に流れる電流（本電流方向を仮想線と呼ぶ）に対して直角（またはねじれ）の方向に対してバスバーの面積を小さくし、仮想線に並行の方向に距離を長くすることにより、バスバーの抵抗値を高くすることができる。この逆の形態変化を行うことにより、バスバーの抵抗値を低くすることができる。
【００６９】
また、各実施形態で説明した二次電池装置を構成する、例えば、非水系二次電池であるリチウムイオン二次電池は、電気自動車、ハイブリッド電気自動車、電動自転車の電源、あるいは、電気機器の電源として利用することができる。
【００７０】
また、これらに適用する際には、二次電池は、高容量化、高出力化を図るため、複数の電池セルをケース内に並べて配置し、これらの電池セルを並列あるいは直列に接続した電池モジュールを構成し、更に、複数の電池モジュールを接続して電池パックを構成して利用することができる。
【００７１】
以上、本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、様々の省略、置き換え、変更を行うことができる。例えば、本実施形態では上面カバーや連結部材は金属部材であると記載しているが、いわゆるラミセルの電池セルを用いても良い。各実施形態では、第１の実施形態にて９個、第２の実施形態で８個、第３の実施形態で２個の電池セルを用いて説明しているが、この数に限られることはない。これら実施形態やその変形は、発明の範囲や要旨に含まれるとともに、特許請求の範囲に記載された発明とその均等の範囲に含まれる。
【符号の説明】
【００７２】
１０  …  二次電池装置
１２（１２ａ，…１２ｓ）  …  電池セル（セル）
１４（１４ａ，…，１４ｔ）  …  バスバー
２１  …  外缶
２２ａ  …  正極（正極端子）
２２ｂ  …  負極（負極端子）
２３  …  蓋体（蓋部）
【図１】
2013037861.tif 000003
【図２】
2013037861.tif 000004
【図３】
2013037861.tif 000005
【図４】
2013037861.tif 000006
【図５】
2013037861.tif 000007
【図６】
2013037861.tif 000008
【図７】
2013037861.tif 000009
【図８】
2013037861.tif 000010
【図９】
2013037861.tif 000011
【図１０】
2013037861.tif 000012
【図１１】
2013037861.tif 000013
【図１２】
2013037861.tif 000014